(57)【要約】【課題】煩雑な作業を行うことなく、画像データに適したアプリケーションを容易に起動することができる起動装置、および起動プログラムを提供することを目的とする。【解決手段】画像を表現した画像データにおける、画像表現に関わる量的及び又は質的なデータ属性によって分類される画像データの区分と、画像データに基づいて画像を表示するアプリケーションとの対応関係を操作に応じて設定する対応関係設定部と、表示が求められている画像データにおけるデータ属性を確認し、その確認したデータ属性に応じた区分に対応関係によって対応するアプリケーションを起動するアプリケーション起動部とを備える。【選択図】        図７
2006011677.tif 000002
【特許請求の範囲】
【請求項１】
画像を表現した画像データにおける、画像表現に関わる量的及び又は質的な、ファイル形式以外のものを少なくとも含んだデータ属性によって分類される画像データの区分と、画像データに基づいて画像を表示するアプリケーションとの対応関係を操作に応じて設定する対応関係設定部と、
表示が求められている画像データにおけるデータ属性を確認し、その確認したデータ属性に応じた区分に前記対応関係によって対応するアプリケーションを起動するアプリケーション起動部とを備えたことを特徴とする起動装置。
【請求項２】
前記対応関係設定部が、前記データ属性として、画像データが表現する画像の画像サイズを含んだデータ属性を用いるものであることを特徴とする請求項１記載の起動装置。
【請求項３】
前記対応関係設定部が、前記データ属性として、画像データが画像全体を表現するためのデータ量を含んだデータ属性を用いるものであることを特徴とする請求項１記載の起動装置。
【請求項４】
前記対応関係設定部が、前記データ属性として、画像データが画像上の１点を表現するためのデータ量を含んだデータ属性を用いるものであることを特徴とする請求項１記載の起動装置。
【請求項５】
前記対応関係設定部が、前記データ属性として、画像データが表現する画像の解像度を含んだデータ属性を用いるものであることを特徴とする請求項１記載の起動装置。
【請求項６】
前記対応関係設定部が、前記データ属性として、画像データが画像を表現した色空間を含んだデータ属性を用いるものであることを特徴とする請求項１記載の起動装置。
【請求項７】
コンピュータ内で実行され、該コンピュータ上に、
画像を表現した画像データにおける、画像表現に関わる量的及び又は質的な、ファイル形式以外のものを少なくとも含んだデータ属性によって分類される画像データの区分と、画像データに基づいて画像を表示するアプリケーションとの対応関係を操作に応じて設定する対応関係設定部と、
表示が求められている画像データにおけるデータ属性を確認し、その確認したデータ属性に応じた区分に前記対応関係によって対応するアプリケーションを起動するアプリケーション起動部とを構成することを特徴とする起動プログラム。
【発明の詳細な説明】
【技術分野】
【０００１】
本発明は、アプリケーションを起動する起動装置、および起動プログラムに関する。
【背景技術】
【０００２】
デジタルカメラの普及に伴って、撮影画像がデジタル化されて扱われるようになってきている。また、近年では、コンピュータを使って画像を描くコンピュータグラフィックも広く用いられてきており、撮影画像に関わらず、画像全体が一般的にデジタル化されてきている。画像をデジタル化する利点として、撮影画像やグラフィック画像にパーソナルコンピュータ等を使って所望の画像処理を施し、画像の不具合を修正することができるという点や、高画質な画像を長期に渡って保存することができるなどという点が挙げられる。
【０００３】
上述したような画像のデジタル化に伴い、家庭で用いられているパーソナルコンピュータにも、画像を表示するための表示用アプリケーションや、コンピュータを使って画像を描くための描画用アプリケーションや、デジタルカメラで撮影された撮影画像を整理するためのアルバム用アプリケーションなどといった様々な画像用アプリケーションが適用されている。さらに、同じ描画用アプリケーションでも、マウス等を使って簡単なイラストを描くのに適したアプリケーションや、テンプレート画像が多く用意された、技術文書用の画像を描くのに適したアプリケーションや、入力ペンなどを使って本格的なグラフィック画像を描くためのアプリケーションなどというように多種多様なアプリケーションが開発されており、通常、パーソナルコンピュータ等には、複数種類の画像用アプリケーションがインストールされていることが一般的である。
【０００４】
また、パーソナルコンピュータのＯＳ（Ｏｐｅｒｅｔｉｎｇ  Ｓｙｓｔｅｍ）では、混在してインストールされている複数の画像用アプリケーションと、画像データを記述する複数種類のファイル形式とがそれぞれ対応付けられている。画像データが表現する画像を確認したい場合などには、オペレータが表示画面上に表示されたファイル一覧の中から所望の画像データをマウス等で選択すると、ＯＳによって、その画像データのファイル形式と対応付けられた画像用アプリケーションが起動され、起動された画像用アプリケーションによって、画像データに基づく画像が表示画面に表示される。このようなＯＳの機能によって、オペレータは、画像データのファイル形式や、画像用アプリケーションの詳細な機能などを意識することなく、画像データに基づく画像を表示させて確認することができる。
【０００５】
しかし、画像データのファイル形式に応じて画像用アプリケーションが起動されても、例えば、起動された画像用アプリケーションがその画像データの色空間に対応していない場合などには、画像データが表わす画像を表示させることができない。このような場合には、オペレータが、パーソナルコンピュータにインストールされている複数の画像用アプリケーションの中から、その画像データを扱うための要件を満たす画像用アプリケーションを自ら探し出して起動させる必要があり、画像データや画像用アプリケーションについての知識に精通していない人や、パーソナルコンピュータに不慣れな人にとっては、大変困難な作業であるという問題がある。
【０００６】
この問題に関し、特許文献１には、画像データを一意に識別可能な画像ＩＤと、画像データに対する処理内容などといった任意の付加情報と、画像データを扱う際に起動される画像用アプリケーションとを対応付けておく技術について記載されている。この特許文献１に記載された方法によると、第１の画像データを表示するときには第１のアプリケーション、第２の画像データを編集するときには第２のアプリケーションなどというように、画像データごとに、付加情報と画像用アプリケーションとを対応付けておくことができ、パーソナルコンピュータに不慣れな人であっても、その画像データに適した画像用アプリケーションを起動させることができる。
【特許文献１】特開平５−１０８４３９号公報
【発明の開示】
【発明が解決しようとする課題】
【０００７】
しかし、この特許文献１に記載された方法によると、複数の画像データそれぞれに対して付加情報や画像用アプリケーションを対応付ける必要があり、多数の画像データがパーソナルコンピュータ等に記憶されている場合には、作業が大変煩雑になってしまうという問題がある。
【０００８】
本発明は、上記事情に鑑み、煩雑な作業を行うことなく、画像データに適したアプリケーションを容易に起動することができる起動装置、および起動プログラムを提供することを目的とする。
【課題を解決するための手段】
【０００９】
上記目的を達成する本発明の起動装置は、画像を表現した画像データにおける、画像表現に関わる量的及び又は質的な、ファイル形式以外のものを少なくとも含んだデータ属性によって分類される画像データの区分と、画像データに基づいて画像を表示するアプリケーションとの対応関係を操作に応じて設定する対応関係設定部と、
表示が求められている画像データにおけるデータ属性を確認し、その確認したデータ属性に応じた区分に上記対応関係によって対応するアプリケーションを起動するアプリケーション起動部とを備えたことを特徴とする。
【００１０】
本発明の起動装置によると、ファイル形式以外のものを少なくとも含んだデータ属性によって分類される画像データの区分と、画像データに基づいて画像を表示するアプリケーションとの対応関係が予め設定される。実際に画像データに基づく画像が表示される際には、まず画像データにおけるデータ属性が確認されて、設定された対応関係において、そのデータ属性に応じた区分に対応するアプリケーションが起動される。本発明にいうデータ属性は、オペレータが画像データごとに付加するものではなく、画像データ自体が元々有している特性であるため、多数の画像データがパーソナルコンピュータ等に記憶されている場合などであっても、それらの画像データ１つ１つとアプリケーションとを対応付ける必要がなく、容易にその画像データに適したアプリケーションを起動させることができる。
【００１１】
また、本発明の起動装置において、上記対応関係設定部が、データ属性として、画像データが表現する画像の画像サイズを含んだデータ属性を用いるものであることが好ましい。
【００１２】
通常、画像の画像サイズが大きくなるほど、その画像を表現した画像データに基づいて画像を表示させるのにかかる表示時間が増加する。したがって、画像の画像サイズを含んだデータ属性を適用し、例えば、画像サイズが所定サイズ以上という画像データの区分と、起動時間が短いアプリケーションとの対応関係が設定されることによって、アプリケーションが起動されて画像データに基づく画像が表示されるまでの一連の処理時間を短縮することができる。
【００１３】
また、本発明の起動装置において、上記対応関係設定部が、データ属性として、画像データが画像全体を表現するためのデータ量を含んだデータ属性を用いるものであることが好ましい。
【００１４】
画像全体を表現するためのデータ量（以下では、画像データサイズと称する）が大きい画像データの場合も、その画像データに基づいて画像を表示させるのに多大な表示時間がかかってしまう。したがって、画像データサイズを含んだデータ属性を適用し、その画像データサイズが所定量以上の画像データを表示させるときには、起動時間が短いアプリケーションを起動させることによって、画像を表示させるまでの処理時間を抑えることができる。
【００１５】
また、本発明の起動装置において、上記対応関係設定部が、データ属性として、画像データが画像上の１点を表現するためのデータ量を含んだデータ属性を用いるものであることが好適である。
【００１６】
画像上の１点を表現するためのデータ量（以下では、画素データサイズと称する）が大きい画像データは、写真画像やグラフィック画像などといった、多くの色が用いられた高画質な画像を表わす画像データであることが多く、逆に、その画素データサイズが小さい画像データは、簡単なイラストなどを表わす画像データであることが多い。また、簡単なイラスト描画用のアプリケーションは画素データサイズが８ビット以下の画像データのみ扱うことができ、グラフィック画像用のアプリケーションは画素データサイズが３２ビットまでの画像データを扱うことができるなどというように、通常は、アプリケーションによって、扱うことができる画像データの画素データサイズが決められている。画像データの画素データサイズの区分と、その区分の画素データサイズの画像データを扱うことができるアプリケーションとの対応関係が設定されることによって、オペレータは、画像データの画素データサイズを意識することなく、画像データに合ったアプリケーションを起動させることができる。
【００１７】
また、本発明の起動装置において、上記対応関係設定部が、データ属性として、画像データが表現する画像の解像度を含んだデータ属性を用いるものであることが好ましい。
【００１８】
スキャナ等で原稿画像が高解像度に読み取られて取得された画像データは、写真などのように高画質な画像が読み取られた画像データであることが多い。したがって、画像の解像度を含んだデータ属性を適用し、高解像度な画像が表現された画像データを表示させる際には、多機能なアプリケーションなどが起動されることが好ましい。
【００１９】
また、本発明の起動装置において、上記対応関係設定部が、データ属性として、画像データが画像を表現した色空間を含んだデータ属性を用いるものであることが好適である。
【００２０】
アプリケーションによって、扱うことができる画像データの色空間が異なる。したがって、画像データの色空間の種類と、その種類の色空間の画像データを扱うことができるアプリケーションとの対応関係が設定されることによって、オペレータは、画像データが画像を表現した色空間を意識することなく、画像データに合ったアプリケーションを起動させることができる
また、上記目的を達成する本発明の起動プログラムは、コンピュータ内で実行され、そのコンピュータ上に、
画像を表現した画像データにおける、画像表現に関わる量的及び又は質的な、ファイル形式以外のものを少なくとも含んだデータ属性によって分類される画像データの区分と、画像データに基づいて画像を表示するアプリケーションとの対応関係を操作に応じて設定する対応関係設定部と、
表示が求められている画像データにおけるデータ属性を確認し、その確認したデータ属性に応じた区分に上記対応関係によって対応するアプリケーションを起動するアプリケーション起動部とを構成することを特徴とする。
【００２１】
本発明の起動プログラムをコンピュータ内で実行させることによって、そのコンピュータを上記のような起動装置として動作させることができる。
【００２２】
なお、本発明にいう起動プログラムについては、ここではその基本形態のみを示すのにとどめるが、これは単に重複を避けるためであり、本発明にいう起動プログラムには、上記の基本形態のみではなく、前述した起動装置の各形態に対応する各種の形態が含まれる。
【００２３】
また、本発明の起動プログラムがコンピュータ上に構成する対応関係設定部などといった要素は、１つの要素が１つのプログラム部品によって構成されるものであってもよく、１つの要素が複数のプログラム部品によって構成されるものであってもよく、複数の要素が１つのプログラム部品によって構成されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００２４】
本発明によれば、煩雑な作業を行うことなく、画像データに適したアプリケーションを容易に起動することができる起動装置、および起動プログラムを提供することを目的とする。
【発明を実施するための最良の形態】
【００２５】
以下図面を参照して本発明の実施の形態を説明する。
【００２６】
ここでは、本発明の起動プログラムの一実施形態がパーソナルコンピュータに組み込まれ、その起動プログラムがパーソナルコンピュータにインストールされて、その結果、そのパーソナルコンピュータが本発明の起動装置の一実施形態として動作する例について説明する。このパーソナルコンピュータには、画像データに基づいて画像を表示する機能を有する複数の画像用アプリケーションがインストールされている。
【００２７】
図１は、本発明の一実施形態が適用されるパーソナルコンピュータの外観図である。
【００２８】
このパーソナルコンピュータ１０は、外観構成上、本体装置１１、その本体装置１１からの指示に応じて表示画面１２ａ上に画像を表示する画像表示装置１２、本体装置１１にキー操作に応じた各種の情報を入力するキーボード１３、および、表示画面１２ａ上の任意の位置を指定することにより、その位置に表示された、例えばアイコン等に応じた指示を入力するマウス１４を備えている。この本体装置１１は、外観上、フレキシブルディスク（以下では、ＦＤと省略する）を装填するためのＦＤ装填口１１ａ、およびＣＤ−ＲＯＭを装填するためのＣＤ−ＲＯＭ装填口１１ｂを有する。
【００２９】
図２は、図１に示すパーソナルコンピュータのハードウェア構成図である。
【００３０】
本体装置１１の内部には、図２に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＦＤ２００が装填され、その装填されたＦＤ２００をアクセスするＦＤドライブ１１４、ＣＤ−ＲＯＭ２１０をアクセスするＣＤ−ＲＯＭドライブ１１５、外部装置から画像データを受け取る入力インタフェース１１６、外部装置に画像データを送る出力インタフェース１１７が内蔵されており、これらの各種要素と、さらに図１にも示す画像表示装置１２、キーボード１３、およびマウス１４は、バス１５を介して相互に接続されている。
【００３１】
ここで、ＣＤ−ＲＯＭ２１０には、このパーソナルコンピュータ１０を本発明の起動装置の一実施形態として動作させるための起動プログラムが記憶されており、そのＣＤ−ＲＯＭ２１０はＣＤ−ＲＯＭドライブ１１５に装填され、そのＣＤ−ＲＯＭ２１０に記憶された起動プログラムがこのパーソナルコンピュータ１０にアップロードされてハードディスク装置１１３に記憶される。こうして、パーソナルコンピュータ１０は本発明の起動装置の一実施形態として動作する。
【００３２】
尚、ここでは、起動プログラムを記憶する記憶媒体としてＣＤ−ＲＯＭ２１０が例示されているが、本発明の起動プログラムを記憶する記憶媒体はＣＤ−ＲＯＭに限られるものではなく、それ以外の光ディスク、ＭＯ、ＦＤ、磁気テープなどの記憶媒体であってもよい。また、本発明の起動プログラムは、記憶媒体を介さずに、通信網を介して直接にコンピュータに供給されるものであってもよい。
【００３３】
続いて、この図１のパーソナルコンピュータ１０内で実行される、起動プログラムについて説明する。
【００３４】
図３は、本発明の起動プログラムの一実施形態が記憶されたＣＤ−ＲＯＭを示す概念図である。
【００３５】
起動プログラム３００は、対応関係設定部３１０と、アプリケーション起動部３２０とで構成されている。起動プログラム３００の各要素の詳細については後述する。
【００３６】
図４は、起動装置４００の機能ブロック図である。
【００３７】
この起動装置４００は、図３の起動プログラム３００がパーソナルコンピュータ１０にインストールされて実行されることによって構成されるものである。
【００３８】
起動装置４００には、対応指定部４１１と対応保存部４１２とで構成される対応関係設定部４１０と、アプリケーション起動部４２０とが備えられている。
【００３９】
対応関係設定部４１０と、アプリケーション起動部４２０は、図３に示す起動プログラム３００を構成する、対応関係設定部３１０と、アプリケーション起動部３２０にそれぞれ対応するが、図４の各要素は、パーソナルコンピュータ１０のハードウェアとパーソナルコンピュータ１０で実行されるＯＳやアプリケーションプログラムとの組合せで構成されているのに対し、図３に示す起動プログラム３００の各要素はそれらのうちのアプリケーションプログラムのみにより構成されている点が異なる。
【００４０】
図４に示す、対応指定部４１１と対応保存部４１２とを合わせた対応関係設定部４１０は、本発明にいう対応関係設定部の一例に相当し、アプリケーション起動部４２０は、本発明にいうアプリケーション起動部の一例に相当する。
【００４１】
以下、図４に示す起動装置４００の各要素を説明することによって、図３に示す起動プログラム３００の各要素も併せて説明する。
【００４２】
図４に示す対応指定部４１１は、図１に示すキーボード１３やマウス１４がその役割を担うものであり、オペレータが予め用意された起動アプリケーション設定画面に従って操作することによって、画像データをデータ属性で分類するための区分（分類条件）と、パーソナルコンピュータ１０にインストールされている画像用アプリケーションとの対応関係を指定する。本実施形態においては、画像データを記述するためのファイル形式、画像データが表わす画像の画像サイズ、画像データの画像データサイズ（画像全体を表現するためのデータ量）、画像データが表現する画像の解像度、画像データの画素データサイズ（画像上の１点を表現するためのデータ量）、および画像データの色空間といった要素で構成されたデータ属性が適用され、対応指定部４１１では、データ属性によって画像データを分類するための区分（分類条件）と、その区分に分類される画像データに適した画像用アプリケーションとが指定される。尚、画像データは画像ファイルとして保存されるため、以下では、画像データサイズをファイルサイズと称する。また、画像の１画素を表現するために必要なデータ量においては、８ビット程度であると深さが浅い画像データ、３２ビット程度であると深さが深い画像データなどという言い方が知られているため、以下では、画素データサイズを画像の深さと称する。
【００４３】
対応保存部４１２は、対応指定部４１１で指定された対応関係を、図２に示すハードディスク装置１１３に保存する。
【００４４】
また、パーソナルコンピュータ１０には、記憶されている画像データの一覧を表示するファイル一覧画面が予め用意されており、オペレータが、図１のマウス１４などを使ってファイル一覧画面の中から所望の画像データを選択すると、選択された画像データがアプリケーション起動部４２０に伝えられる。アプリケーション起動部４２０は、まず、ハードディスク装置１１３に保存された対応関係を取得し、伝えられた画像データのデータ属性を確認する。続いて、アプリケーション起動部４２０は、取得した対応関係において、確認したデータ属性によって画像データが分類される区分に対応する画像用アプリケーションを起動する。
【００４５】
画像用アプリケーションが起動されると、その画像用アプリケーションは、選択された画像データに基づいて、図１に示す表示画面１２ａ上に画像を表示する。
【００４６】
起動装置４００は、基本的には以上のように構成されている。
【００４７】
ここで、起動装置４００における本発明の特徴は、画像データのデータ属性に応じて画像用アプリケーションを起動する一連の処理にある。以下では、この一連の処理について説明する。
【００４８】
オペレータが、パーソナルコンピュータ１０に予め用意されているアイコンをマウス１４等で選択すると、図１に示す表示画面１２ａ上に、画像データをデータ属性で分類するための区分（分類条件）と、画像用アプリケーションとの対応関係を設定するための起動アプリケーション設定画面が表示される。
【００４９】
図５は、起動アプリケーション設定画面の一例を示す図である。
【００５０】
図５に示す起動アプリケーション設定画面５００は、すでに設定済みの対応関係を表示するための画面である。起動アプリケーション設定画面５００には、設定済みの対応関係における、「画像用アプリケーション」の実行ファイル名が表示される起動アプリケーション表示部５１０と、「画像データのファイル形式」の種類が表示されるファイルフォーマット表示部５２０、「画像データのファイルサイズ（画像全体を表現するためのデータ量）」の範囲が表示されるファイルサイズ表示部５３０、「画像データが表現する画像の画像サイズ」の範囲が表示される画像サイズ表示部５４０、「画像データが表現する画像の解像度」の範囲が表示される解像度表示部５５０、「画像の深さ（画像上の１点を表現するためのデータ量）」の範囲が表示される深さ表示部５６０、および「画像データの色空間」の種類が表示される色空間表示部５７０が備えられており、さらに、新たな対応関係を追加するための追加ボタン５８１、起動アプリケーション設定画面５００に表示された対応関係を削除するための削除ボタン５８２が備えられている。「画像データのファイル形式」、「画像データのファイルサイズ」、「画像データが表現する画像の画像サイズ」、「画像データが表現する画像の解像度」、「画像の深さ」、および「画像データの色空間」によって構成されるデータ属性は、本発明にいうデータ属性の一例に相当する。また、画像データが、「画像データのファイル形式」の種類、「画像データのファイルサイズ」の範囲、「画像データが表現する画像の画像サイズ」の範囲、「画像データが表現する画像の解像度」の範囲、「画像の深さ」の範囲、および「画像データの色空間」の種類に応じて分類される区分は、本発明にいう画像データの区分の一例に相当する。
【００５１】
図５に示す初期状態においては、対応関係が未だ設定されていない。オペレータがマウス１４等で追加ボタン５８１を選択すると、新たな対応関係を追加するための起動条件設定画面が表示される。
【００５２】
図６は、起動条件設定画面の一例を示す図である。
【００５３】
図６に示す起動条件設定画面６００には、「画像用アプリケーション」を指定するための起動アプリケーション指定部６１０と、「画像データのファイル形式」の種類を指定するためのファイルフォーマット指定部６２０、「画像データのファイルサイズ」の範囲を指定するためのファイルサイズ指定部６３０、「画像データが表現する画像の画像サイズ」の範囲を指定するための画像サイズ指定部６４０、「画像データが表現する画像の解像度」の範囲を指定するための解像度指定部６５０、「画像データの画像の深さ」の範囲を指定するための深さ設定部６６０、および「画像データの色空間」の種類を指定するための色空間指定部６７０が備えられており、さらに、指定内容を確定するＯＫボタン６８１、指定内容をキャンセルするキャンセルボタン６８２が備えられている。
【００５４】
ここで、このパーソナルコンピュータ１０には、表１に示すような６つの画像用アプリケーションがインストールされているものとする。
【００５５】
【表１】
2006011677.tif 000003
【００５６】
第１の画像用アプリケーションおよび第２の画像用アプリケーションは起動時間が短いため、画像を表示させるのに多くの表示時間がかかってしまう画像データ（例えば、ファイルサイズが大きい画像データや、画像サイズが大きい画像を表現した画像データ）を扱う際に起動されることによって、一連の処理時間を抑えることができる。また、第１の画像用アプリケーションは、画像がＲＧＢ色空間で表現された、ＪＰＥＧ形式の画像データを扱うことができないため、このような画像データに基づいて画像を表示させる際には、第２のアプリケーションが起動されることが好ましい。
【００５７】
第３の画像用アプリケーションおよび第４の画像用アプリケーションは、起動時間が比較的長いが多くの機能を有しており、例えば、スキャナなどで原稿画像が高解像度に読み取られて取得された画像データに補正処理を施す場合などのように、処理時間よりも画質が求められる画像データを扱うのに適している。また、第４のアプリケーションは、画像の深さが１６ビット以上の画像データには対応していないため、そのような画像データに基づいて画像を表示させる際には、第３のアプリケーションが起動されることが好ましい。
【００５８】
第５の画像用アプリケーションは、ページデータに対応しており、ページデータが表わす画像を表示させる際には、この第５の画像用アプリケーションが起動されることが好ましい。
【００５９】
第６の画像用アプリケーションは、通常の機能を有し、起動時間も普通である。
【００６０】
以上のような画像用アプリケーションの特徴を踏まえ、オペレータは、図６に示す起動条件設定画面６００に従って、画像データのデータ属性における区分と、画像用アプリケーションとの対応関係を指定する。対応関係を指定後、ＯＫボタン６８１を選択することによって指定内容が確定され、その指定内容が反映された起動アプリケーション設定画面５００が表示画面１２ａに表示される。
【００６１】
図７は、指定内容が反映された起動アプリケーション設定画面の一例を示す図である。
【００６２】
第１の画像用アプリケーションは、「画像データのファイル形式」がＥＳＰかＴＩＦＦであり、「画像データのファイルサイズ」が１ＭＢ以上であり、「画像データが表現する画像の画像サイズ」が任意のサイズであり、「画像データが表現する画像の解像度」が７２ｄｐｉ未満であり、「画像データの画像の深さ」が任意のデータ量であり、「画像データの色空間」がＣＭＹＫかＲＧＢであるという画像データの区分と対応付けられており、さらに、「画像データのファイル形式」がＪＰＥＧであり、「画像データのファイルサイズ」が１ＭＢ以上であり、「画像データが表現する画像の画像サイズ」が任意のサイズであり、「画像データが表現する画像の解像度」が任意の値であり、「画像データの画像の深さ」が任意のデータ量であり、「画像データの色空間」がＣＭＹＫであるという画像データの区分とも対応付けられている。
【００６３】
第２の画像用アプリケーションは、「画像データのファイル形式」がＪＰＥＧであり、「画像データのファイルサイズ」が１ＭＢ以上であり、「画像データが表現する画像の画像サイズ」が任意のサイズであり、「画像データが表現する画像の解像度」が任意の値であり、「画像データの画像の深さ」が任意のデータ量であり、「画像データの色空間」がＲＧＢであるという画像データの区分と対応付けられている。
【００６４】
第３の画像用アプリケーションは、「画像データのファイル形式」がＪＰＥＧかＥＳＰかＴＩＦＦであり、「画像データのファイルサイズ」が１ＭＢ未満であり、「画像データが表現する画像の画像サイズ」が１０Ｍｐｉｘｅｌ未満であり、「画像データが表現する画像の解像度」が任意の値であり、「画像データの画像の深さ」が１６ｂｉｔ以上であり、「画像データの色空間」がＣＭＹＫかＲＧＢであるという画像データの区分と対応付けられている。
【００６５】
第４の画像用アプリケーションは、「ファイル形式」がＪＰＥＧかＥＳＰかＴＩＦＦであり、「画像データのファイルサイズ」が１ＭＢ未満であり、「画像データが表現する画像の画像サイズ」が１０Ｍｐｉｘｅｌ未満であり、「画像データが表現する画像の解像度」が任意の値であり、「画像データの画像の深さ」が１６ｂｉｔ未満であり、「画像データの色空間」がＣＭＹＫかＲＧＢであるという画像データの区分と対応付けられている。
【００６６】
第５の画像用アプリケーションは、「ファイル形式」がＰＤＦであり、データ属性におけるファイル形式以外の要素は任意であるという画像データの区分と対応付けられている。
【００６７】
また、第６の画像用アプリケーションは、データ属性を構成する全ての要素が任意であるという画像データの区分と対応付けられていない。
【００６８】
オペレータによって、図５に示すような対応関係が指定されると、起動装置４００の内部では、指定された対応関係が、図４に示す対応指定部４１１から対応保存部４１２に伝えられる。対応保存部４１２は、伝えられた対応関係を図２のハードディスク装置１１３に保存する。
【００６９】
実際に、画像データに基づく画像を表示させるときには、オペレータは、表示画面１２ａ上に表示されたファイル一覧画面の中から、所望の画像データをマウス１４等で選択する。
【００７０】
このとき、起動装置４００の内部では、選択された画像データがアプリケーション起動部４２０に伝えられる。
【００７１】
アプリケーション起動部４２０は、まず、図２のハードディスク装置１１３に保存された、画像データの区分と画像用アプリケーションとの対応関係を取得する。続いて、アプリケーション起動部４２０は、選択された画像データのデータ属性を確認する。
【００７２】
アプリケーション起動部４２０は、取得した対応関係における画像データの区分のうち、確認した画像データのデータ属性によって分類される区分を判定し、その区分と対応付けられた画像用アプリケーションを起動する。
【００７３】
表２は、画像を表現した画像データのデータ属性の一例を示している。
【００７４】
【表２】
2006011677.tif 000004
【００７５】
実際に、表２に示す６つの画像を、図７に示す対応関係に応じて起動された画像用アプリケーションを使って表示する場合について説明する。
【００７６】
まず、表２に示す画像＿１を表現した画像データが選択された場合には、その画像データのデータ属性を構成する要素である、表２に示す「ファイル形式：ＴＩＦＦ」は、図７に示す起動アプリケーション設定画面５００のファイルフォーマット表示部５２０に表示された「ＴＩＦＦ」に当てはまり、以下同様に、「ファイルサイズ：１．５ＭＢ」はファイルサイズ表示部５３０の「１ＭＢ以上」に当てはまり、「画像サイズ：２．５Ｍｐｉｘｅｌ」は画像サイズ表示部５４０の「１０Ｍｐｉｘｅｌ未満」に当てはまり、「解像度：６４ｄｐｉ」は解像度表示部５５０の「７２ｄｐｉ未満」に当てはまり、「画像の深さ：８ｂｉｔ」は深さ表示部５６０の「１６ｂｉｔ未満」に当てはまり、「色空間：ＣＭＹＫ」は色空間表示部５７０の「ＣＭＹＫ」に当てはまる。このような画像データの区分と対応付けられているのは、起動アプリケーション表示部５１０に表示された「Ａｐｌｉ＿１．ｅｘｅ」の実行ファイルであり、画像＿１を表わす画像データが選択された場合には、第１の画像用アプリケーションが起動される。この画像＿１は画像サイズが大きく、画像データに基づいて画像を表示させるのに多くの表示時間がかかってしまうが、第１の画像用アプリケーションは起動時間が短いため、アプリケーションが起動されて画像が表示されるまでの一連の処理時間が軽減される。また、画像＿１は解像度が低く、簡単なイラストなどであると考えられるため、シンプルな機能を有する第１の画像用アプリケーションが起動されることによって、画像保存時などの処理時間を抑えて気軽に画像データを扱うことができる。
【００７７】
また、表２に示す画像＿２の場合には、表２に示す「ファイル形式：ＪＰＥＧ」は、図７に示すファイルフォーマット表示部５２０の「ＪＰＥＧ」に当てはまり、以下同様に、「ファイルサイズ：５ＭＢ」はファイルサイズ表示部５３０の「１ＭＢ以上」に当てはまり、「画像サイズ：２０Ｍｐｉｘｅｌ」は画像サイズ表示部５４０の「指定なし（何も表示されていない）」に当てはまり、「解像度：７２ｄｐｉ」は解像度表示部５５０の「指定なし」に当てはまり、「画像の深さ：８ｂｉｔ」は深さ表示部５６０の「１６ｂｉｔ未満」に当てはまり、「色空間：ＲＧＢ」は色空間表示部５７０の「ＲＧＢ」に当てはまる。このような画像データの区分と対応付けられているのは、起動アプリケーション表示部５１０に表示された「Ａｐｌｉ＿２．ｅｘｅ」の実行ファイルであり、画像＿２を表わす画像データが選択された場合には、第２の画像用アプリケーションが起動される。画像＿２を表わす画像データはＲＧＢ色空間のＪＰＥＧ画像データであり、第１の画像用アプリケーションでは扱うことができないが、第２の画像用アプリケーションが起動されることによって、オペレータは画像データの色空間やファイル形式を気にすることなく、画像データが表わす画像を表示させることができる。
【００７８】
画像＿３の場合は、表２に示す「ファイル形式：ＥＰＳ」は、図７に示すファイルフォーマット表示部５２０の「ＥＰＳ」に当てはまり、以下同様に、「ファイルサイズ：０．７ＭＢ」はファイルサイズ表示部５３０の「１ＭＢ未満」に当てはまり、「画像サイズ：５Ｍｐｉｘｅｌ」は画像サイズ表示部５４０の「１０Ｍｐｉｘｅｌ未満」に当てはまり、「解像度：７２ｄｐｉ」は解像度表示部５５０の「指定なし」に当てはまり、「画像の深さ：１６ｂｉｔ」は深さ表示部５６０の「１６ｂｉｔ以上」に当てはまり、「色空間：ＲＧＢ」は色空間表示部５７０の「ＲＧＢ」に当てはまる。このような画像データの区分と対応付けられているのは、起動アプリケーション表示部５１０に表示された「Ａｐｌｉ＿３．ｅｘｅ」の実行ファイルであり、画像＿３を表わす画像データが選択された場合には、第３の画像用アプリケーションが起動される。この画像＿３を表わす画像データは画像の深さが大きく、扱うことができる画像用アプリケーションが限られるが、本実施形態の起動装置４００によると、オペレータは画像データを選択するだけで、その画像データの画像の深さに適した画像用アプリケーションが起動される。
【００７９】
画像＿４の場合には、表２に示す「ファイル形式：ＪＰＥＧ」は、図７に示すファイルフォーマット表示部５２０の「ＪＰＥＧ」に当てはまり、以下同様に、「ファイルサイズ：０．２ＭＢ」はファイルサイズ表示部５３０の「１ＭＢ未満」に当てはまり、「画像サイズ：１Ｍｐｉｘｅｌ」は画像サイズ表示部５４０の「１０Ｍｐｉｘｅｌ未満」に当てはまり、「解像度：２００ｄｐｉ」は解像度表示部５５０の「指定なし」に当てはまり、「画像の深さ：８ｂｉｔ」は深さ表示部５６０の「１６ｂｉｔ未満」に当てはまり、「色空間：ＲＧＢ」は色空間表示部５７０の「ＲＧＢ」に当てはまる。このような画像データの区分と対応付けられているのは、起動アプリケーション表示部５１０に表示された「Ａｐｌｉ＿４．ｅｘｅ」の実行ファイルであり、画像＿４を表わす画像データが選択された場合には、第４の画像用アプリケーションが起動される。画像＿４は、解像度が高く、高画質な画像であることが考えられ、多機能な第４の画像用アプリケーションが起動されることによって、画像を表わす画像データに高精度な補正処理を施すことなどができる。
【００８０】
画像＿５の場合には、表２に示す「ファイル形式：ＰＤＦ」が、図７に示すファイルフォーマット表示部５２０の「ＰＤＦ」に当てはまる。この画像データの区分と対応付けられているのは、起動アプリケーション表示部５１０に表示された「Ａｐｌｉ＿５．ｅｘｅ」の実行ファイルであり、画像＿５を表わす画像データが選択された場合には、第５の画像用アプリケーションが起動される。このように、本実施形態の起動装置４００によると、画像データのファイル形式に適した画像用アプリケーションを起動させることができる。
【００８１】
画像＿６の場合は、表２に示す「ファイル形式：ＥＰＳ」は、図７に示すファイルフォーマット表示部５２０の「ＥＰＳ」に当てはまり、以下同様に、「ファイルサイズ：０．５ＭＢ」はファイルサイズ表示部５３０の「１ＭＢ未満」に当てはまり、「画像サイズ：１６Ｍｐｉｘｅｌ」は画像サイズ表示部５４０の「指定なし」に当てはまり、「解像度：７２ｄｐｉ」は解像度表示部５５０の「指定なし」に当てはまり、「画像の深さ：８ｂｉｔ」は深さ表示部５６０の「１６ｂｉｔ未満」に当てはまり、「色空間：ＲＧＢ」は色空間表示部５７０の「ＲＧＢ」に当てはまる。このような画像データの区分と対応付けられている画像用アプリケーションはないため、画像＿６を表わす画像データが選択された場合には、第６の画像用アプリケーションが起動される。
【００８２】
このように、本実施形態の起動装置４００によると、オペレータは所望の画像データを選択するだけで、その画像データのデータ属性に適した画像用アプリケーションを起動させることができる。
【００８３】
ここで、上記では、画像データの区分と対応付けられた画像用アプリケーションを自ら起動するアプリケーション起動部を備えた起動装置の例について説明したが、本発明にいうアプリケーション起動部は、画像データの区分と対応付けられた画像用アプリケーションをＯＳなどに起動させるものであってもよい。
【００８４】
また、上記では、表示が求められている画像データを取得して、その画像データのデータ属性を確認するアプリケーション起動部を備えた起動装置の例について説明したが、本発明にいうアプリケーション起動部は、表示が求められている画像データを取得せずに、その画像データのデータ属性だけを確認して取得するものであってもよい。
【００８５】
また、上記では、データ属性を構成する要素として、ＣＭＹＫおよびＲＧＢの色空間を用いる例について説明したが、本発明にいうデータ属性に含まれる色空間としては、輝度と色差で画像の色を表現するＹＵＶ色空間などであってもよい。
【図面の簡単な説明】
【００８６】
【図１】本発明の一実施形態が適用されるパーソナルコンピュータの外観図である。
【図２】図１に示すパーソナルコンピュータのハードウェア構成図である。
【図３】本発明の起動プログラムの一実施形態が記憶されたＣＤ−ＲＯＭを示す概念図である。
【図４】起動装置４００の機能ブロック図である。
【図５】起動アプリケーション設定画面の一例を示す図である。
【図６】起動条件設定画面の一例を示す図である。
【図７】指定内容が反映された起動アプリケーション設定画面の一例を示す図である。
【符号の説明】
【００８７】
１０    パーソナルコンピュータ
１１    本体装置
１１ａ    ＦＤ装填口
１１ｂ    ＣＤ−ＲＯＭ装填口
１２    画像表示装置
１２ａ    表示画面
１３    キーボード
１４    マウス
１５    バス
１１１    ＣＰＵ
１１２    主メモリ
１１３    ハードディスク装置
１１４    ＦＤドライブ
１１５    ＣＤ−ＲＯＭドライブ
１１６    入力インタフェース
１１７    出力インタフェース
２００    ＦＤ２００
２１０    ＣＤ−ＲＯＭ
３００    起動プログラム
３１０    対応関係設定部
３２０    アプリケーション起動部
４００    起動装置
４１０    対応関係設定部
４１１    対応指定部
４１２    対応保存部
４２０    アプリケーション起動部
５００    起動アプリケーション設定画面
５１０    起動アプリケーション表示部
５２０    ファイルフォーマット表示部
５３０    ファイルサイズ表示部
５４０    画像サイズ表示部
５５０    解像度表示部
５６０    深さ表示部
５７０    色空間表示部
５８１    追加ボタン
５８２    削除ボタン
６００    起動条件設定画面
６１０    起動アプリケーション指定部
６２０    ファイルフォーマット指定部
６３０    ファイルサイズ指定部
６４０    画像サイズ指定部
６５０    解像度指定部
６６０    深さ設定部
６７０    色空間指定部
６８１    ＯＫボタン
６８２    キャンセルボタン
【図１】
2006011677.tif 000005
【図２】
2006011677.tif 000006
【図３】
2006011677.tif 000007
【図４】
2006011677.tif 000008
【図５】
2006011677.tif 000009
【図６】
2006011677.tif 000010
【図７】
2006011677.tif 000011